(57)【要約】      （修正有）【課題】再送時に適切な変調方式の選択を行うことで効率的なデータの再送を行うとともに、その効率的な合成を行うこと。【解決手段】端末装置２において誤りの発生したユニットがあれば、復調部１０５で端末装置２から応答されるNACKを取得する。分割部１０３３は、木構造に対応付けながら、誤りが発生したユニットのデータを分割する。ユニット生成部１０３１は、分割データを木構造のノードに対応付ける分割構造情報を生成するとともに、この分割構造情報を含め、分割後のデータを再送する再送用のユニットを生成する。変調方式選択部１０７０は、複数の変調方式のうちで、誤りが発生したユニットを送信したとき用いた変調方式より多値が少なく、かつ少なくとも誤りが発生したユニットのハーフサイズ分のデータを送信することができる変調方式を選択する。変調実行部１０３４は、選択した変調方式で再生用のユニットを変調し、端末装置２に対して再送する。【選択図】図８
2008252503.tif 000002
【特許請求の範囲】
【請求項１】
受信装置からエラーデータの検出に起因する再送要求を受けると、前記エラーデータを分割するとともに、前記分割データのサイズに応じた変調方式を選択して変調を行い、前記受信装置に再送することを特徴とする送信方法。
【請求項２】
前記再送要求の起点となったデータをルートとする木構造に対応付けながら、前記分割を実行するとともに、
前記分割データを前記木構造に対応付ける分割構造情報を、前記分割データに付加して前記受信装置に再送することを特徴とする請求項１に記載の送信方法。
【請求項３】
受信装置に対してデータを送信する送信装置であって、
前記受信装置において受信したデータで誤りが発生したエラーデータを特定する情報を取得する取得部と、
前記情報により特定したエラーデータを分割する分割部と、
前記分割データを合成するため用いる情報を生成し、前記分割データに付加する生成部と、
複数の変調方式のうちで、前記分割データのサイズに応じた多値数の変調方式を選択する選択部と、
前記選択した変調方式を用いて前記分割データを変調し、前記受信装置に対して再送する再送部と、
を備えることを特徴とする送信装置。
【請求項４】
前記分割部は、前記再送の起点となったデータをルートとする木構造に対応付けながら、前記分割を実行し、
前記生成部は、分割したデータを前記木構造のノードに対応付ける分割構造情報を生成することを特徴とする請求項３に記載の送信装置。
【発明の詳細な説明】
【技術分野】
【０００１】
本発明は、再送技術に関し、特に複数の変調方式を利用して通信を行う送信装置に関する。
【背景技術】
【０００２】
移動体通信システムでは、高品質な伝送を実現するため伝送誤りを訂正する誤り制御技術が広く用いられている。このような誤り制御技術の一つとして、自動再送要求（ARQ:Automatic Repeat Request）の技術がある。自動再送要求では、送信側がデータに誤り検出符号を付加して受信側に送信し、受信側で受信したデータに対して誤り検出処理を行う。そして、誤りが検出された場合、送信側に対してデータの再送を要求する信号（NACK:Negative Acknowlege）を応答する。送信側は、受信側からNACKを受け取ると同一のデータを再送し、受信側からACKを受け取るまで再送を繰り返す。
【０００３】
また、最近の移動体通信システムでは、データ通信のように、従来の音声通信に比べて高速、大容量のデータ伝送を実現するため、伝播環境に応じて信号の変調方式を適応的に変化させる適応変調技術が広く用いられるようになっている。そこで、自動再送要求技術と適応変調技術を組み合わせ、送信側は、受信側からNACKを受け取ると、伝送品質に応じた変調方式を選択し、この変調方式で同一のデータを変調して再送する技術が知られている。（例えば、特許文献１）
【特許文献１】特開2006-14197号
【発明の開示】
【発明が解決しようとする課題】
【０００４】
しかしながら、再送時の伝送品質に応じた変調方式を選択して再送を行うと、新規データの送信時の変調方式と比較し、１シンボルあたりの情報量が少ない変調方式が再送データの変調方式として選択されることがある。１シンボルあたりの情報量が減少するため、再送時の伝送容量は減少する。この場合、送信側は１度に全てのデータを再送することはできず、伝送容量の減少に応じたデータを別途再送することになる。送信時と再送時の伝送容量の差異が僅差の場合、別途再送すべきデータ量は再送時の伝送容量に比べるとかなり小さくなり、別途再送時の伝送効率が低下する。また、伝播環境の影響で、再送回数が増加するとともに、多様な変調方式で再送が行われると、再送を行う度に伝送容量が変動し、その増減に応じてデータを別途再送する必要が生じる。このため、別途再送すべきデータの管理が煩雑となり、効率的な再送が困難であった。
【０００５】
本発明はこのような状況に鑑みてなされたものであり、伝播環境の影響で再送回数が増加し、伝送品質が頻繁に変動する場合であっても、効率的なデータの再送を行うことが可能な送信装置を提供することを目的とする。
【課題を解決するための手段】
【０００６】
本発明のある態様は、再送方法である。この再送方法は、受信装置からエラーデータの検出に起因する再送要求を受けると、前記エラーデータを分割するとともに、前記分割データのサイズに応じた変調方式を選択して変調を行い、前記受信装置に再送することをその要旨とする。
【０００７】
また、前記再送要求の起点となったデータをルートとする木構造に対応付けながら、前記分割を実行するとともに、前記分割データを前記木構造に対応付ける分割構造情報を生成し、前記分割データに前記分割構造情報を付加して前記受信装置に再送することが望ましい。
【０００８】
本発明の別の態様は、受信装置に対してデータを送信する送信装置である。この装置は、前記受信装置において受信したデータで誤りが発生したエラーデータを特定する情報を取得する取得部と、前記情報により特定したエラーデータを分割する分割部と、前記分割データを合成するため用いる情報を生成し、前記分割データに付加する生成部と、複数の変調方式のうちで、前記分割データのサイズに応じた多値数の変調方式を選択する選択部と、前記選択した変調方式を用いて前記分割データを変調し、前記受信装置に対して再送する再送部と、を備えることをその要旨とする。
【０００９】
ここで「多値数」は１シンボルあたりの情報量であることを含む。
【００１０】
また、前記分割部は、前記再送の起点となったデータをルートとする木構造に対応付けながら、前記分割を実行し、前記生成部は、分割したデータを前記木構造のノードに対応付ける分割構造情報を生成することが望ましい。
【発明の効果】
【００１１】
本発明によれば、再送回数が増加するとともに、再送時の伝送品質に応じた変調方式を選択すると多様な変調方式で再送されてしまう伝播環境であっても、誤りが発生した部分を分割し、分割したデータのサイズに応じた変調方式を選択して再送するため、効率的な再送を行うことが可能となる。
【発明を実施するための最良の形態】
【００１２】
本発明を具体的に説明する前に概要について述べる。本発明の実施の形態は、第二世代コードレス電話システムのように、TDMA−TDD方式により複数の端末装置を接続する基地局装置である。第二世代コードレス電話システムでは図１に示すように、上り通信（端末装置から基地局装置）について４つのタイムスロット、下り通信（基地局装置から端末装置）について４つのタイムスロットによってTDMAフレーム（以下、フレーム）が構成され、さらにフレームが連続して配置されている。本実施の形態においては上り通信と下り通信は対称であるため、以下においては、説明の便宜上、送信側を基地局装置とし、受信側を端末装置とする下り通信のみ説明を行う。
【００１３】
基地局装置は、さらに図２に示すように、OFDMA（Orthogonal Frequency Division Multiple Access）も適用し、一つのタイムスロットに複数の端末装置を割り当てる。図２は横軸の方向に時間軸上のタイムスロットの配置を示し、縦軸の方向に周波数軸上のサブチャンネルの配置を示す。すなわち、横軸の多重化がTDMAに相当し、縦軸の多重化がOFDMAに相当する。図２には１フレームにおける第１タイムスロット（図中、T1と表示）から第４タイムスロット（図中、T4と表示）が含まれている。また、図２には各タイムスロットにおける第１サブチャンネル（図中、SC1と表示）から第８サブチャンネル（図中、SC8と表示）が含まれている。図２では第１タイムスロットの第１サブチャンネルに端末装置Ａが、第２タイムスロットの第１サブチャンネルから第４サブチャンネルに端末装置Ｂが、第３タイムスロットの第８サブチャンネルに端末装置Ｃが、そして第４タイムスロットの第５サブチャンネルから第８サブチャンネルに端末装置Dがそれぞれ割り当てられている。なお、以下においては、説明の便宜上、一つのタイムスロットに一つの端末装置を割り当てる例にもとづき説明を行う。
【００１４】
図３は、図２においてタイムスロットとサブチャンネルで特定される無線チャンネル（以下、サブチャンネルブロック）の構成を示す概念図である。図３の横方向は、時間軸であり、縦方向は、周波数軸を示している。「１」から「２９」の番号は、サブキャリアの番号を示す。このようにサブチャンネルは、OFDMのマルチキャリア信号によって構成されている。図中、「TS」は、トレーニングシンボルに相当し、同期検出用のシンボル「STS」、伝送路特性の推定用シンボル「LTS」等の既知信号を含む。「GS」は、ガードシンボルに相当し、ここに実効的な信号は配置されない。「PS」はパイロットシンボルに相当し、既知信号によって構成される。「SS」はシグナルシンボルに相当し、制御用の信号が配置される。「DS」はデータシンボルに相当し、送信すべきデータである。「GT」はガードタイムに相当し、実効的な信号は配置されない。
【００１５】
図４は、図３におけるシグナルシンボルの構成を示す概念図である。シグナルシンボルは、変調パラメータ通知MI、HARQ制御HC、HARQ応答HAを含む。HARQ制御HCは、HARQシーケンス番号HARQ SNを含む。また、HARQ応答HAは、HARQ ACKシーケンス番号を含む。
【００１６】
図５は、本発明の実施の形態におけるネットワーク階層の構成を示す概念図である。図５では、MAC層（レイヤ２）およびそれ以上の上位層を示している。図３に示す一つのサブチャンネルブロックのデータシンボルから、チャンネル種別CIおよびMAC層の基本単位PDU（Protocol Data Unit、以下、ユニット）が構成される。
【００１７】
図６は、ユニットの構成を示す概念図である。ユニットは、再送データ構造有効フラグRSF、レイヤ２データ長LEN、再送データ構造RTY ST、シーケンス番号PDU SNを含むレイヤ２ヘッダー、データが配置されるレイヤ２データ、誤り検出符号CRC（Cyclic Redundancy Check）から構成される。
【００１８】
再送制御は、サブチャンネルブロック単位で行う。本発明の実施の形態では、一つのサブチャンネルブロックが一つのMAC層のユニットに相当するため、HARQはMAC層のユニット単位で行うことになる。また、本発明の実施の形態では、ARQにFEC（Forward Error Collection）を組み合わせたハイブリッド自動再送要求（HARQ:Hybrid Automatic Repeat Request）により再送制御を行う。HARQとしては、タイプI、タイプII、タイプIIIの3つの方式が知られているが、以下においては、説明の便宜上、畳み込み符号およびパンクチャ符号を用いるタイプIIを例にとり説明を行う。
【００１９】
受信側でユニットが正しく受信できなかった要因と一つとして、通信品質の劣化が挙げられる。このためユニットの再送時は、エラー耐性が高い多値数の少ない変調方式を選択してユニットの変調を行えば、伝送信頼性の向上が期待できる。
【００２０】
このとき、多値数の少ない変調方式を選択するとユニットあたりの伝送容量は小さくなる。例えば、ユニットあたり100bitのデータを伝送できた変調方式からユニットあたり80bitのデータしか伝送できない変調方式に変更すると、100bitのデータを80bitと20bitに分割して送信する必要があり、20bitのデータのみを送信するユニットは残り60bit分、伝送効率が低減することになる。
【００２１】
したがって、本発明の実施の形態における基地局装置においては、受信側で誤りが発生したユニットがあれば、誤りが発生したユニットを特定する情報を取得し、誤りが発生したユニットのデータを分割し、分割データを合成するための分割構造情報を生成するとともに、この分割構造情報を含め分割データを再送する再送用のユニットを生成し、分割データのサイズに応じた変調方式を選択して再送用のユニットを変調し、再送することとした。これにより、再送すべきデータに適した多値数の少ない変調方式を選択して再送を行うことが可能となるため、データ再送時の効率性と信頼性を向上させることができる。
【００２２】
図７は、本発明の実施の形態における移動体通信システム１０の構成を示す概念図である。移動体通信システムは基地局装置１と端末装置２を含む。図７では端末装置２で総称される第１端末装置２ａ、第２端末装置２ｂおよび第３端末装置２ｃの３台を図示しているが、２台以下、もしくは４台以上の端末装置が存在してもよい。
【００２３】
図８は、図７の基地局装置１の構成を示す概念図である。図８において、アンテナ１００は、無線周波数の信号を送受信する。
【００２４】
無線部１０１は、受信時にアンテナ１００で受信した無線周波数の信号を周波数変換し、ベースバンド信号を導出し、受信部１０４に出力する。また、送信時に送信部１０２からのベースバンド信号を周波数変換し、無線周波数の信号を導出する。
【００２５】
送信部１０２は、変調部１０３から送られてきた周波数領域信号を時間領域信号に変換し、無線部１０１に出力する。なお、周波数領域信号から時間領域信号への変換にはIFFT（Inversed Fast Fourier Transform）を利用する。
【００２６】
変調部１０３は、IF部１０６からの入力に対して変調を行い、送信部１０２に出力する。変調方式としては、BPSK（Binary Phase Shift Keying）、QPSK（Quadrature Phase Shift Keying）、16QAM（Quadrature Amplitude Modulation）、32QAM、64QAM、256QAMなどを用いる。
【００２７】
受信部１０４は、無線部１０１から送られてきた時間領域信号を周波数領域信号に変換し、復調部１０５に出力する。なお、時間領域信号から周波数領域信号への変換にはFFT（Fast Fourier Transform）を利用する。
【００２８】
復調部１０５は、受信部１０４からの入力に対して復調を行い、IF部に出力する。また、図４に示すシグナルシンボルおよび図６に示すユニットのレイヤ２ヘッダーを解析し、その結果を制御部１０７へ出力する。
【００２９】
IF部７は、図示していないネットワークに接続され、受信時に復調部１０５において復調した信号を図示していないネットワークに出力する。また、IF部７は、送信時にネットワークからデータを入力し、これを変調部１０３に出力する。
【００３０】
制御部１０７は、復調部１０５から送られてきたユニットのシグナルシンボル解析結果を入力とし、基地局装置１にユニットを正しく受信できない旨のNACKを応答してきた端末装置２に対して、そのユニットのデータの再送を行う。また、基地局装置１全体のタイミングの制御等を行う。
【００３１】
制御部１０７は、図示していない理想変調信号と受信変調信号とのひずみ特性であるEVM（Error Vector Magnitude）を測定する通信品質測定部から送られた情報、および復調部１０５から送られてきたユニットのレイヤ２ヘッダー解析結果を入力とし、変調方式を選択し、変調部１０３および復調部１０５を制御する変調方式選択部１０７０を含む。
【００３２】
変調方式選択部１０７０は、送信時の変調方式と再送時の変調方式との関係を示したテーブルを記録している。シグナルシンボル解析結果より、端末装置２からユニットを正しく受信できない旨のNACKが応答されたと判断すると、そのテーブルを参照し、ユニットを送信したときの変調方式から、このユニットのデータを再送するための変調方式を決定する。
【００３３】
また、制御部１０７は、復調部１０５から送られてきたユニットのレイヤ２ヘッダー解析結果にもとづき、再送用のユニットを生成するためユニット生成部１０３１、分割部１０３３等を制御する分割制御部１０７１を含む。
【００３４】
分割制御部１０７１は、シグナルシンボル解析結果より、端末装置２からユニットを正しく受信できない旨のNACK応答がされたと判断すると、分割部１０３３で、そのデータを２分割し、ユニット生成部１０３１で、２分割されたデータを再送するための２つの新たなユニットを生成する。そして、分割制御部１０７１は、再送の起点となったユニットのデータを全て再送するまで、データの分割を行う度に、２分割元のデータを親、２分割後のデータを子に対応付けながら、再送の起点となったユニットのデータをルートとする木構造を形成するとともに、それぞれの分割データに、この木構造のどのノードに該当しているかの分割構造情報を割り当てる。
【００３５】
図９は、変調部１０３の詳細な構成を示す概念図である。図９において、選択部１０３０は、通常の送信時はIF部１０６からの入力を、再送時は分割部１０３３からの入力を選択する。ユニット生成部１０３１は、選択部１０３０からの入力に対して畳み込み符号を行ってから、図６に示すレイヤ２データに格納するとともに、シグナルシンボル、レイヤ２ヘッダーおよび誤り検出符号CRCを付加しユニットを生成する。また、特定の符号化率が指定された場合は、選択部１０３０からの入力に対して畳み込み符号を行い、あらかじめ規定されたパンクチャパターンを参照しながらその出力を間引くパンクチャ符号行ってからレイヤ２データに格納する。
【００３６】
送信バッファ１０３２は、再送の起点となったユニットのデータが受信側で正しく受信されるまで、そのユニットのデータを記録する。また、分割制御部１０７１の指示により、記録したデータの所定部分を分割部１０３３に出力する。なお、ユニットが受信側で正しく受信されたか否かの判定は、送信側がそのユニットのシグナルシンボルのHARQ SNに割り当てたシーケンス番号を、ペアーとなるユニットのシグナルシンボルのHARQ ACK SNに格納して、所定の時間内に受信側が通知してきたか否かで行う。分割部１０３３は、送信バッファ１０３２からの出力を２分割し、選択部１０３０に出力する。変調実行部１０３４はユニット生成部１０３１からの出力に対してBPSKなどの変調を行う。
【００３７】
図１０は、変調方式選択部１０７０が記録している送信時の変調方式と再送時の変調方式との関係を示したテーブルのデータ構造である。図１０において256QAM等は変調方式を表す。また、変調方式に添えられた分数は、パンクチャ符号の符号化率を表す。なお、符号化率1/2は畳み込み符号およびパンクチャ符号を行わず、変調のみ行うことを表す。テーブルでは、ユニットあたり伝送できる情報量が、送信時の変調方式のハーフサイズに最も近い変調方式が、再送時の変調方式として対応付けられている。このテーブルにより、例えば、送信時の変調方式「64QAM 3/4」と再送時の変調方式「16QAM 3/4」が対応付けられる。
【００３８】
図１１は、分割制御部１０７１が生成する分割データの木構造の構成を示す概念図である。図１１においてL=0〜4のそれぞれは、木構造の深さを表す。L=0はルートである。また、P=0〜5…のそれぞれは、同じ深さを持つ木構造のノードの左端からの位置を表す。P=0は最左端にあることを表す。分割構造情報は、木構造の深さ（L INFO）、および木構造の左端からの位置（P INFO）から構成される。図１１には、変調方式が256QAM 3/4であったユニットのデータを再送の起点とし、このデータを根とする木構造において、各再送時の分割データの変調方式および分割構造情報を示してある。
【００３９】
再送制御の具体例として、図１１を参照しながら、変調方式が256QAM 3/4であったユニットのデータに再送要求があった場合について説明を行う。
【００４０】
変調方式選択部１０７０は、シグナルシンボル解析結果より、変調方式が256QAM 3/4であったユニットを正しく受信できない旨のNACKが端末装置２から応答されたと判断すると、図１０のテーブルを参照し、再送のための変調方式として64QAM 3/4を選択し、変調実行部１０３４を制御する。
【００４１】
分割制御部１０７１は、送信バッファ部１０３２から再送すべきデータを読み出し、分割部１０３３に送る。分割部１０３３は、そのデータを２分割し、選択部１０３０に出力する。分割制御部１０７１は、選択部１０３０を分割部１０３３の出力を選択するよう制御し、分割部１０３３の出力がユニット生成部１０３１に送られる。ユニット生成部１０３１では、２分割されたデータを再送するための２つのユニットを生成する。分割制御部１０７１は、左の子に対応させた２分割データには分割構造情報としてL INFO=001、P INFO=00000を割り当てる。一方、右の子に対応させた２分割データには分割構造情報としてL INFO=001、P INFO=00001を割り当てる。そして生成した分割構造情報を、図６に示すレイヤ２ヘッダーのRTY STの上位3bitにL INFOを、下位5bitにP INFOを格納し、RSFを有効にして受信側に通知する。以下、受信側から木構造のノードであるユニットのデータの全てを正しく受信できた旨の通知があるまで、上記操作を繰り返す。なお、分割構造情報として木構造の深さを3bit、木構造の左端からの位置を5bitで、各２分割データは、この木構造のどのノードに該当しているか表現したが、分割構造情報を深さと位置に分けずに一意に表現してもよく、8bit以外のビット数で分割構造情報を構成してもよい。
【００４２】
これまで説明した再送制御は、基地局装置１での機能に相当する。一方、再送を実行するためには、基地局装置１だけではなく、端末装置２も所定の動作を実行する必要がある。すなわち端末装置２は、基地局装置１から送信されたユニットのデータについて誤り検出を行い、基地局装置１に再送要求を行うとともに、分割して再送されてきたデータを合成する。ここでは端末装置２の動作として説明するが、この機能は基地局装置１にも含まれてもよい。
【００４３】
図１２は、図７の端末装置２の無線通信に関する機能ブロックの構成を示す概念図である。図１２において、アンテナ２００、送信部２０２および受信部２０４は、図８におけるアンテナ１００、送信部１０２、受信部１０４に相当するため説明を省略する。
【００４４】
変調部２０３は、IF部２０６からの入力に対して変調を行い、送信部２０２に出力する。また、ユニット解析部２０５１で正しく受信できたと判定されたユニットのシーケンス番号を制御部２０７から受け取り、ペアーになるユニットのシグナルシンボルのHARQ ACK SNに格納する。
【００４５】
復調部２０５は、受信部２０４からの入力に対して復調を行い、ＩＦ部２０６に出力する。また、図４に示すシグナルシンボルおよび図６に示すユニットのレイヤ２ヘッダーを解析し、その結果を制御部２０７へ出力する。
【００４６】
ＩＦ部２０６は、図示していない音声復号部等に接続され、受信時に復調部２０５において復調した信号を図示していない音声復号部に出力する。また、ＩＦ部２０６は、送信時に音声符号部からデータを入力し、これを変調部２０３に出力する。
【００４７】
制御部２０７は、復調部２０５から送られてきたユニットのシグナルシンボル解析結果を入力とし、正しく受信できないユニットを送信してきた基地局装置１に、そのユニットのデータの再送要求を行う。また、基地局装置１全体のタイミングの制御等を行う。
【００４８】
制御部２０７は、図４に示すシグナルシンボルに含まれる変調パラメータMIを参照して、変調方式を決定し、変調部２０３および復調部２０５を制御する変調方式選択部２０７０を含む。
【００４９】
また、制御部２０７は、復調部２０５から送られてきたユニットのレイヤ２ヘッダー解析結果にもとづき、再送用のユニットのデータを合成するため受信バッファ部２０５２、合成部２０５３等を制御する合成制御部２０７１を含む。
【００５０】
合成制御部２０７１は、ユニット解析部２０５１から送られてきた誤り検出結果、およびレイヤ２ヘッダーの解析結果にもとづき、再送の起点となったユニットのデータが全て正しく受信できたか否かを判定する。全て正しく受信できたと判定すると、受信バッファ部２０５２から分割データを読み出し、合成部２０５３に送る。合成制御部２０７１は、レイヤ２ヘッダーのRTY STから抽出した分割構造情報を参照して合成部２０５３を制御する。合成部２０５３は、木構造のリーフに該当する分割データから順に、子から親へ合成する操作をルートに至るまで繰り返し、最終的に得られたデータを再送の起点となったユニットのデータとして選択部２０５４に出力する。
【００５１】
図１３は、復調部２０５の詳細な構成を示す概念図である。図１３において、復調実行部２０５０は受信部２０４からの出力に対してBPSKなどの復調を行う。ユニット解析部２０５１は、復調実行部２０５０からの入力からレイヤ２ヘッダーを抽出して解析を行い、その結果を制御部２０７に送る。またレイヤ２データに格納されたデータにビタビ復号を行い、誤り検出符号CRCを用いて、誤りが生じたか否かを判定し、その結果を制御部２０７に送る。
【００５２】
誤りが発生していなければ、ビタビ復号したデータを抽出する。なお、特定の符号化率が指定された場合は、あらかじめ規定されたパンクチャパターンを参照しながら、ヌルデータを挿入してパンクチャ復号を行い、その出力のビタビ復号を行う。パンクチャ復号を行うか否かの判定は、図４に示すシグナルシンボルに含まれる変調パラメータMIを参照し、特定の符号化率が送信側で指定されたか否かで行う。
【００５３】
さらに、ユニット解析部２０５１は、解析対象であるユニットが再送用であるか否かを、図６に示すレイヤ２ヘッダーのRSFが有効であるか否かで判定する。再送用のユニットであれば、そのレイヤ２データから抽出したデータを受信バッファ２０５２に出力する。一方、再送用のユニットでなければ、選択部２０５４に出力する。受信バッファ２０５２は、再送の起点となったユニットのデータ全てを正しく受信できるまで、再送された分割データを記録する。また合成制御部２０７１の指示により、記録した分割データを合成部２０５３に出力する。合成部２０５３は、合成制御部２０７１の指示により受信バッファ２０５２からの出力を合成し、選択部２０５４に出力する。選択部２０５４は、通常の受信時はユニット解析部２０５１からの入力を、再送完了時は合成部２０５３からの入力を選択し、ＩＦ部２０６に出力する。
【００５４】
以上の構成による移動体通信システム１０の動作を説明する。図１４は移動体通信システム１０の再送手順を示すフローチャートである。
【００５５】
基地局装置１は、測定されたEVMにもとづき、変調方式として256QAM 3/4の選択を決定し（S200）、シグナルシンボルのHARQ SNにシーケンス番号「1」を、レイヤ２ヘッダーのPDU SNにシーケンス番号「１」を格納してユニット#1を生成し、端末装置２に送信する（S201）。端末装置２は、受信したユニット#1の誤り検出を行い、このユニットが正しく受信できなかったと判定する（S202）。
【００５６】
基地局装置１は所定の時間内にペアーとなるユニットのシグナルシンボルのHARQ ACK SNにシーケンス番号「1」が格納されて通知されなかったことから（S203）、端末装置２はユニット#1のNACKを応答してきたと判定する。
【００５７】
次に、基地局装置１は、ユニット#1の再送信を行う（S204）。再送信によりユニット#1を送信できれば、ユニット#1のデータを２分割して送信するより伝送効率の向上することがあるからである。ユニット#1の再送信は、予め規定された回数を行ってもよく、測定されたEVM等、伝播環境に応じて再送信を行ったり、行わなかったりしてもよい。ここでは、１回のみ行うとする。
【００５８】
端末装置２は、受信したユニット#1の誤り検出を行い、このユニットが正しく受信できなかったと判定する（S205）。
【００５９】
基地局装置１は所定の時間内にペアーとなるユニットのシグナルシンボルのHARQ ACK SNにシーケンス番号「1」が格納されて通知されなかったことから（S206）、端末装置２はユニット#1のNACKを応答してきたと判定する。
【００６０】
そこで、基地局装置１は、図１０のデーブルを参照して再送用の変調方式として64QAM 3/4の選択を決定するとともに、ユニット#1のデータを２分割し、それぞれのデータを格納するユニット#1-1とユニット#1-2を生成する。（S207）ここで、ユニット#1-1のシグナルシンボルのHARQ SNにはシーケンス番号「1」を、レイヤ２ヘッダーのPDU SNにはシーケンス番号「１」を、L INFOには木構造の深さ「1」を、P INFOには木構造の左端からの位置「0」を格納する。また、ユニット#1-2のシグナルシンボルのHARQ SNにはシーケンス番号「1」を、レイヤ２ヘッダーのPDU SNにはシーケンス番号「１」を、L INFOには木構造の深さ「1」を、P INFOには木構造の左端からの位置「1」を格納する。
【００６１】
基地局装置１は、64QAM 3/4でユニット#1-1の変調を行い、端末装置２に送信する（S208）。端末装置２は、受信したユニット#1-1の誤り検出を行い、このユニットが正しく受信できたと判定し、受信バッファ２０５２に記録する（S209）。そして、ペアーとなるユニットのシグナルシンボルのHARQ ACK SNに「1」を格納して基地局装置１に送信し、ユニット#1-1のACKを応答する（S210）。
【００６２】
基地局装置１は、端末装置２からユニット#1-1のACKが応答されてきたため、ユニット#1-1は端末装置２で正しく受信できたと判定する。そこで、64QAM 3/4でユニット#1-2の変調を行い、端末装置２に送信する（S211）。端末装置２は、受信したユニット#1-2の誤り検出を行い、このユニットが正しく受信できたと判定し、受信バッファ２０５２に記録する（S212）。そして、ペアーとなるユニットのシグナルシンボルのHARQ ACK SNに「1」を格納して基地局装置１に送信し、ユニット#1-2のACKを応答する（S213）。
【００６３】
基地局装置１は、端末装置２からユニット#1-2のACKが応答されてきたため、ユニット#1-2は端末装置２で正しく受信できたと判定する。そして再送の起点となったユニット#1のデータは全て端末装置２で正しく受信できたことが確認されたため、ユニット#1に関する再送を完了する。
【００６４】
一方、端末装置２は、再送の起点となったユニット#1のデータを全て正しく受信できたため、ユニット#1に関する再送要求を完了する。また、受信バッファ２０５２からユニット#1-1の分割データおよびユニット#1-2の分割データを読み出し、合成部２０５３で親であるユニット#1のデータとして合成する（S214）。
【００６５】
このような本発明の実施の形態によれば、以下の通りの作用効果を享受することができる。
【００６６】
端末装置2から再送要求があると、復調部１０５で端末装置２から応答されるNACKを取得し、分割部１０３３は、誤りが発生したユニットのデータを分割し、ユニット生成部１０３１は、分割データを合成するための分割構造情報を生成するとともに、この分割構造情報を含め、分割後のデータを再送する再送用のユニットを生成し、変調方式選択部１０７０は、複数の変調方式のうちで、誤りが発生したユニットを送信したとき用いた変調方式より多値が少なく、かつ再生用のユニットに格納したデータに応じた変調方式を選択し、変調実行部１０３４は、選択した変調方式を用いて、再生用のユニットを変調し、端末装置２に対して再送するため、伝播環境の影響で再送回数が増加し、伝送品質が頻繁に変動する場合であっても、分割データのサイズに応じて多値数の少ない変調方式を選択することができ、データ再送時の効率性と信頼性を向上させることができる。
【００６７】
また、分割部１０３３は、木構造に対応付けながら、誤りが発生したユニットのデータを分割し、ユニット生成部１０３１は、分割データを木構造のノードに対応付ける分割構造情報を生成するため、伝播環境の影響で再送回数が増加した場合であっても、木構造に対応付けられた分割データの管理が容易となり、データ再送時の効率性をさらに向上させることができる。
【００６８】
以上、本発明を実施するための最良の形態について説明をしてきたが、本発明は、この実施の形態の構成に限定されるものではなく、特許請求の範囲に規定された本発明の適用範囲にあり、上述した実施の形態の構成が備える機能を達成可能であれば、いろいろな変形が可能である。
【００６９】
例えば、本発明の実施の形態において通信システム１０はTDMAとOFDMAが適用されるとして説明したが、これにかぎらず、例えば、TDMAとCDMA（Code Division Multiple Access）が適用されてもよく、またTDMAとSDMA（Space Division Multiple Access）が適用されてもよい。
【００７０】
また、本発明の実施の形態において、再送制御としてHARQ タイプIIを例にとり説明したが、これにかぎらず、例えば、HARQタイプI、タイプIIIあるいはSRARQ（Selective Repeat Automatic Request）などランダム転送の再送制御が適用されてもよい。
【図面の簡単な説明】
【００７１】
【図１】TDMAフレーム構成を示す概念図
【図２】OFDMAサブチャンネル構成を示す概念図
【図３】サブチャンネルブロックの構成を示す概念図
【図４】シグナルシンボルの構成を示す概念図
【図５】本発明の実施の形態におけるネットワーク階層の構成を示す概念図
【図６】ユニットの構成を示す概念図
【図７】本発明の実施の形態に係る通信システムの構成を示す概念図
【図８】本発明の実施の形態に係る基地局装置の構成を示す概念図
【図９】変調部の詳細な構成を示す概念図
【図１０】送信時の変調方式と再送時の変調方式との関係を示したテーブルのデータ構造を示す図
【図１１】分割データの木構造の構成を示す概念図
【図１２】本発明の実施の形態に係る端末装置の無線通信に関する機能ブロックの構成を示す概念図
【図１３】復調部２０５の詳細な構成を示す概念図
【図１４】再送手順を示すフローチャート
【符号の説明】
【００７２】
１０１    無線部
１０２    送信部
１０３    変調部
１０４    受信部
１０５    復調部
１０６    IF部
１０７    制御部
１０７０  変調方式選択部
１０７１  分割制御部
【図１】
2008252503.tif 000003
【図２】
2008252503.tif 000004
【図３】
2008252503.tif 000005
【図４】
2008252503.tif 000006
【図５】
2008252503.tif 000007
【図６】
2008252503.tif 000008
【図７】
2008252503.tif 000009
【図８】
2008252503.tif 000010
【図９】
2008252503.tif 000011
【図１０】
2008252503.tif 000012
【図１１】
2008252503.tif 000013
【図１２】
2008252503.tif 000014
【図１３】
2008252503.tif 000015
【図１４】
2008252503.tif 000016